(57)【特許請求の範囲】
【請求項１】
かご内操作盤と、前記かご内操作盤が取り付けられる前側板と、を備えるエレベータのかご構造において、
前記前側板は、前記かご内操作盤の側方に位置してかつ前記かご内操作盤に接続される配線が収納される配線ダクトを備え、
さらに、前記配線ダクトに収納される前記配線によって支持される他の配線を備えることを特徴とするエレベータのかご構造。
【請求項２】
請求項１において、
前記配線ダクトは、前記前側板の折り曲げ成形部によって構成されることを特徴とするエレベータのかご構造。
【請求項３】
請求項１または請求項２において、
前記前側板は、前記かご内操作盤が係合される一対の立ち上り辺と、前記一対の立ち上り辺の間に位置し、前記かご内操作盤によって塞がれる開口部とを有し、
前記配線ダクトは、前記一対の立ち上り辺の内、一方の立ち上り辺の側方に位置することを特徴とするエレベータのかご構造。
【請求項４】
請求項１ないし３のいずれか１項において、
前記配線ダクトは、前記前側板の意匠面の裏面側に位置することを特徴とするエレベータのかご構造。
【請求項５】
請求項１において、
前記前側板は、前記かご内操作盤が係合される一対の立ち上り辺と、前記一対の立ち上り辺の間に位置し、前記かご内操作盤によって塞がれる開口部とを有し、
前記配線ダクトは、前記一対の立ち上り辺の内、一方の立ち上り辺の側方に位置し、
前記前側板は、
前記一方の立ち上り辺を備える第１の前側板と、
前記配線ダクトを有し、前記第１の前側板と連結する第２の前側板と、
前記一対の立ち上り辺の内、他方の立ち上り辺を備え、前記第２の前側板に連結される第３の前側板と、
を有することを特徴とするエレベータのかご構造。
【請求項６】
請求項５において、
前記配線ダクトは、前記第２の前側板の折り曲げ成形部によって構成されることを特徴とするエレベータのかご構造。
【請求項７】
請求項５または請求項６において、
前記第１の前側板は意匠面を有し、
前記配線ダクトは前記意匠面の裏面側に位置することを特徴とするエレベータのかご構造。
【請求項８】
請求項１ないし７のいずれか一項において、
前記配線の一端には、かご床からの配線が接続される第１のコネクタが設けられ、
前記配線の他端には、前記かご内操作盤からの配線が接続される第２のコネクタを備えることを特徴とするエレベータのかご構造。
【請求項９】
請求項８において、前記第２のコネクタは、前記前側板において、前記かご内操作盤が備える機器の位置に対応する位置に配置されることを特徴とするエレベータのかご構造。
【発明の詳細な説明】
【技術分野】
【０００１】
本発明は、エレベータのかご構造に関する。
【背景技術】
【０００２】
エレベータのかご内には、かご内操作盤が設けられており、このかご内操作盤は、かご出入口となるかごドアの側方に位置する前側板に設置されている。
【０００３】
このような、かご内操作盤を前側板に取付けるかご構造として、従来、特許文献１に記載されるかご構造がある。本従来構造においては、前側板に、立ち上り部および開口部を設け、かご内操作盤のケースを開口部に挿入するとともに、このケースをボルト等の係合体により立ち上り部に係合している。
【０００４】
かご内操作盤に接続される配線は、一般に、前述したようなかご内操作盤のケース内に収められている。また、ケースを備えないタイプのかご内操作盤、すなわち、かご内操作盤の裏面側が開口され、略コ字状の断面形状を備えるかご内操作盤にあっては、配線はかご内操作盤と前側板との間の空隙に収められている。すなわち、このようなエレベータのかご構造にあっては、かご内操作盤が取付けられる前側板は所定寸法の奥行き寸法を有しており、かご内操作盤のケース内、あるいはかご内操作盤と前側板との間の空隙に配線を収めている。
【先行技術文献】
【特許文献】
【０００５】
【特許文献１】特開２００４−１０３０５号公報
【発明の概要】
【発明が解決しようとする課題】
【０００６】
ところで、近年、エレベータの省スペース化を図るため、前側板の奥行き寸法を低減することが所望されている。しかしながら、前述した従来のかご構造においては、前側板の奥行き寸法を低減すると、かご内操作盤に接続される配線を収めるスペースを確保することが難しくなる。
【０００７】
そこで、本発明は、前側板の奥行き寸法を低減しつつ、かご内操作盤に接続される配線を収めるスペースを確保することのできるエレベータのかご構造を提供する。
【課題を解決するための手段】
【０００８】
前記課題を解決するために、本発明によるエレベータのかご構造は、かご内操作盤と、記かご内操作盤が取り付けられる前側板とを備えるものであって、前側板は、かご内操作盤の側方に位置してかつかご内操作盤に接続される配線が収納される配線ダクトを備え、さらに、配線ダクトに収納される配線によって支持される他の配線を備える。
【発明の効果】
【０００９】
本発明によれば、前側板が、かご内操作盤の側方に位置する配線ダクトを備えることにより、前側板の奥行き寸法を低減しつつ、配線の収納スペースを確保することができる。
【００１０】
上記した以外の課題、構成および効果は、以下の実施形態の説明により明らかにされる。
【図面の簡単な説明】
【００１１】
【図１】本発明の実施例１であるエレベータ装置の全体構成を示す概略図である。
【図２】図１における乗りかごの内部を示す。
【図３】かご内操作盤を取り付ける前の状態における前側板を示す。
【図４】かご内操作盤を組み込んだ前側板を示す。
【図５】本発明の実施例２であるかご構造における前側板の構成を示す。
【図６】本発明の実施例３であるかご構造における前側板の配線ダクト近傍を示す。
【発明を実施するための形態】
【００１２】
以下、本発明に係るエレベータのかご構造の実施形態を、図面を用いて説明する。なお、図中、同一あるいは相当する構成要素には同じ符号を付し、適宜、重複する説明は省略する。
【実施例１】
【００１３】
図１は、本発明の実施例１であるエレベータ装置の全体構成を示す概略図である。なお、本図において、乗りかご部は、概略的な斜視図で示している。
【００１４】
図１に示すように、乗りかご１内に設けられるかご内操作盤７には、配線１０が接続される。この配線１０は、後述するように、乗りかご１を構成する前側板の側方に位置するダクト部を通って、乗りかご１の下部から乗りかご１外に出て、乗りかご１の上部に向かう。そして、配線１０は、乗りかご上に設けられるかご上端末装置１０３に接続される。さらに、図示しない制御盤とかご上端末装置１０３とが、配線１１によって接続される。このような配線構成によって、制御盤とかご内操作盤７との間で、かご上端末装置１０３を介して信号がやり取りされる。
【００１５】
図１のエレベータ装置では、昇降路（図示せず）内において、乗りかご１と釣り合い錘１０７とが、主ロープ１０６によって、つるべ式に吊られる。主ロープ１０６は、昇降路内あるいは機械室（図示せず）に配置される巻上機のシーブ１０４および転向プーリ１０５に巻き掛けられ、シーブ１０４が発生する回転トルクによって摩擦駆動される。これにより、乗りかご１および釣り合い錘１０７が、昇降路内において昇降移動する。
【００１６】
後述するように、本実施例のかご構造によれば、かご内操作盤７に接続する配線１０２を前側板の側方部に通すことにより、かご内操作盤７が取り付けられる前側板の奥行き寸法を低減することができる。このため、乗りかご１の寸法を低減することができるので、エレベータ装置を省スペース化することができる。
【００１７】
図２は、図１における乗りかご１の内部を示す。本図は、乗りかご内の奥から、かごドアを見た場合のかご内の外観を示す。
【００１８】
図２に示すように、乗りかご１は、かご床２と、乗りかご１の側方の壁を形成する横側板３と、かご１の出入口となるかごドア４と、かごドア４の側方（図中の右側）に位置し、かご１の前方（かごドア側）の壁を形成する前側板５と、前側板５に設置され、操作釦６等が設けられるかご内操作盤７とを備えている。前側板５には、前側板５の側方部（後述する第１の前側板５ａ）の意匠面の裏面側に、かご内操作盤７に接続する配線１０（図１参照）を通す配線ダクトが設けられている。これにより、前側板５の奥行き寸法を低減しつつ、かご内操作盤７に接続される配線を収めるスペースを確保することができる。
【００１９】
以下、前側板５の構成について、具体的に説明する。
【００２０】
図３は、かご内操作盤７を取り付ける前の状態における前側板５を示す。上図は、乗りかご内から見た時の前側板５の正面図である。また、下図は、上図における下方（矢印Ａの方向）から見た時の下方平面図である。
【００２１】
図３に示すように、前側板５は、かご内操作盤７が係合される一対の立ち上り辺５１，５２と、前側板５の幅方向端部すなわち一方の立ち上り辺５１の側方に設けられるとともに、上下方向に延設され、配線が収納される配線ダクト５３とを備えている。かご内操作盤７は、立ち上り辺５１，５２間の開口８を塞ぐように前側板５に取り付けられる。
【００２２】
前側板５は、鋼板などの板材が折り曲げられて形成され、その１辺が立ち上り辺５１を構成する第１の前側板５ａと、板材が折り曲げられて形成され、その一方が第１の前側板５ａと連結される第２の前側板５ｂと、板材が折り曲げられて形成され、その１辺が立ち上り辺５２を構成するとともに、一端が第２の前側板５ｂと連結される第３の前側板５ｃとから成る。
【００２３】
第２の前側板５ｂにおいては、板材の幅方向の一端かつ板材の長手方向に沿う部分が、板材の幅方向の内側へ向かって折り曲げ成形され、開口部８に露出する第１の前側板５ｂの平面部に続く、断面が略Ｕ字状または略コ字状の部分が形成される。略Ｕ字状または略コ字状の開口端は、図３中で下向き、すなわち第２の前側板５ｂの平面部側を向いている。第１の前側板５ｂに、このような略Ｕ字状または略コ字状の部分を設けることにより、配線ダクト５３が形成される。
【００２４】
配線ダクト５３は、上記のように折り曲げ成型された第２の前側板５ｂの一部によって形成されるとともに、立ち上り辺５１の側方、かつ、第１の前側板５ａの意匠面の裏面側に位置する。また、配線ダクト５３において開口８と隣接する側に、配線を配線ダクト５３内に挿入するための挿通口５３ａが形成されている。
【００２５】
第１の前側板５ａは、細長い板材における幅方向の両端部が長手方向に沿って折り曲げ成形されて形成されるので、略Ｕ字状または略コ字状の断面形状を有する。第１の前側板５ａと第２の前側板５ｂとが連結された時、第１の前側板５ａの断面の略Ｕ字状または略コ字状の開口端は、第２の前側板５ｂと同様に、図３中で下向き、すなわち第２の前側板５ｂの平面部側を向いている。この時、第１の前側板５ａは、第２の前側板５ｂにおける上述したような断面略Ｕ字状または略コ字状の部分すなわち配線ダクト５３を覆うようにして、配線ダクト５３において第２の前側板５ｂと連結される。このため、第１の前側板５ａにおける断面略Ｕ字状または略コ字状の閉端部の露出面が意匠面となる。また、第１の前側板５ａの意匠面の裏面と、断面の略Ｕ字状または略コ字状の閉端部とが、両面粘着性のテープなどによって接着される。さらに、第１の前側板５ａにおける立ち上り辺５１と、これに対向する配線ダクト５３の部分、すなわち第２の前側板５ｂの折り曲げ端部とが、リベットなどによって接合される。
【００２６】
立ち上がり辺５２に対して略直角に曲がる第３の前側板５ｃの端部が、第２の前側板５ｂの平面部における配線ダクト５３が位置する端部とは反対側の端部に、リベットなどによって接合される。さらに、第３の前側板５ｃは、板材が、第３の前側板５ｃの前記端部および立ち上がり辺５２に続いて折り曲げ成形されて形成される、断面略Ｕ字状あるいは略コ字状の部分を有する。このような略Ｕ字状あるいは略コ字状の部分の開口端は、図３の下図においては左側、すなわち立ち上がり辺５２側を向いている。
【００２７】
図３の下図に示すように、前側板５の下端には、かご床２と連結するためのボルトを通す床固定孔９ａを備えた固定用プレート９１，９２が取付けられている。固定用プレート９１は、第２の前側板５ｂの下端に取付けられる。また、固定用プレート９２は、第３の前側板５ｃの下端に取付けられる。
【００２８】
第１の前側板５ａ，第２の前側板５ｂおよび第３の前側板５ｃを上記のようにして互いに連結して一体とした前側板５は、乗りかご１を組み立てるときに、固定用プレート９１，９２の床固定孔９ａを用いてかご床２にボルト締結されて立設される。その後、かご内操作盤７を前側板５の前面に形成される開口８に対向させ、この状態でかご内操作盤７の裏面に配置される図示しない配線を、挿通口５３ａを介して配線ダクト５３に収納する。この後、かご内操作盤７を開口８に挿入しつつ、図示しない係合部によりかご内操作盤７を立ち上り辺５１，５２に係合させる。
【００２９】
図４は、かご内操作盤７を組み込んだ前側板５を示す。なお、下図は、乗りかご内から見た時の前側板５の部分正面図である。また、上図は、下図におけるＢＢ’断面を示す。
【００３０】
図４に示すように、かご内操作盤７は、立ち上がり辺５１，５２間において開口８を形成する凹部空間内に位置し、上図中に破線で示すように、立ち上がり辺５１，５２に設けられる係合ピン７２とかご内操作盤７に設けられる係合片７１が係合することにより、前側板５に固定される。また、かご内操作盤７は、その表面が第１および第３の前側板（５ａ，５ｃ）の意匠面（図２参照）と略同一平面に位置するように、前側板５の開口部８（図３参照）を塞ぐ。このように、かご内操作盤７が前側板５に取り付けられた状態で、配線ダクト５３は、前側板５におけるかご内操作盤７の側方に位置する。
【００３１】
図４の上図が示すように、配線ダクト５３に挿通される配線１０が、かご内操作盤７が備える操作ボタン６に接続される。なお、かご内操作盤７は、操作ボタン６の他に表示装置を備えるが、この表示装置にも同様に配線が接続される。
【００３２】
本実施例によれば、前側板５が、かご内操作盤の側方、すなわち、かご内操作盤７が係合される立ち上り辺５１の側方に、配線が収納される配線ダクト５３を備えることにより、前側板５の奥行き寸法（図３下図におけるＬ１）を低減しつつ、かご内操作盤７に接続される配線を収めるスペースを確保することができる。これによって、乗りかごの大きさを低減することができるので、エレベータ装置を省スペース化することができる。
【００３３】
本発明者の検討によれば、本実施例により、前側板５の奥行き寸法Ｌ１を、従来の８０〜１１０ｍｍから、５５ｍｍ程度に低減することが可能となる。
【００３４】
なお、本実施例において、配線ダクト５３は、一枚の板材を折り曲げて、第２の前側板５ｂの一部として形成されるので、乗りかごの部品点数が低減でき、製造コストが低減できる。
【実施例２】
【００３５】
図５は、本発明の実施例２であるかご構造における前側板の構成を示す。なお、本図は、かご内操作盤７を取り付ける前の状態における前側板５を示す。図３と同様に、図５上図は、乗りかご内から見た時の前側板５の正面図である。また、図５下図は、上図における下方（矢印Ａの方向）から見た時の下方平面図である。
【００３６】
図５に示すように、本実施例２においては、複数の配線１０が、前側板５にかご内操作盤７を取り付ける前に予め、配線ダクト５３を用いて前側板５に敷設されている。配線１０の一端には、図５には図示されていない、かご床２から前側板５へ延びる配線（図１参照）に接続可能なコネクタ１０ａが設けられる。コネクタ１０ａは、かご床２からの配線を接続するため、前側板５のかご床２に近い部分、すなわち第２の前側板５ｂの平面部の下端部上に位置する。そして、コネクタ１０ａは、配線ダクト５３に挿通される配線部から第２の前側板５の平面部上に延びる配線部の端部に設けられる。
【００３７】
また、配線１０の他端には、図５には図示されていない、かご内操作盤７からの配線に接続可能なコネクタ１０ｂが設けられる。コネクタ１０ｂは、かご内操作盤が対向する第２の前側板５ｂの平面部上において、接続対象となるかご内操作盤７が備える各種機器の位置、すなわち操作ボタンや表示装置などの位置に対応する位置、すなわち各種機器に近い位置に配置される。従って、コネクタ１０ｂは、コネクタ１０ａよりも上方に位置する。そして、コネクタ１０ｂは、配線ダクト５３に挿通される配線部から第２の前側板５の平面部上に延びる配線部の端部に設けられる。
【００３８】
なお、コネクタ１０ａ，１０ｂは、第２の前側板５Ｂの平面部上に接着などにより固定されている。これにより、かご内操作盤７の配線作業が容易になる。なお、コネクタ１０ａ，１０ｂは、前側板５に接着せずに、自由端としても良い。
【００３９】
本実施例２において、実施例１と同様に、第１の前側板５ａ，第２の前側板５ｂおよび第３の前側板５ｃを互いに連結して一体化した前側板５は、乗りかご１を組み立てるときに、固定用プレート９１，９２の床固定孔９ａを用いてかご床２にボルト締結されて立設される。このとき、かご床２から延設される配線をコネクタ１０ａに接続する。その後、かご内操作盤７を前側板５の前面に形成される開口８に対向させ、この状態で、かご内操作盤７の裏面に配置される配線をコネクタ１０ｂに接続する。この後、かご内操作盤７を、開口８に挿入しつつ、図示しない係合部によりかご内操作盤７を立ち上り辺５１，５２に係合させる。
【００４０】
本実施例２によれば、配線ダクト５３に、一端がかご床２からの配線に接続可能なコネクタ１０ａ、他端がかご内操作盤７からの配線に接続可能なコネクタ１０ｂを備える接続配線１０をあらかじめ敷設したことにより、エレベータ据付け時のかご組立作業において配線を配線ダクト５３に収納する手間を省くことができるので、作業性が向上する。また、配線ダクト５３に配線１０があらかじめ敷設されるので、長尺の配線がかご内操作盤７の取り付け作業時に邪魔になることがなく、円滑に作業を行うことができる。
【実施例３】
【００４１】
図６は、本発明の実施例３であるかご構造における前側板５の配線ダクト５３近傍を示す。
【００４２】
本実施例３においては、図６に示すように、配線ダクト５３外において、配線１２が設けられる。配線１２は、配線ダクト５３外ではあるが、挿通口５３ａの近くにおける第２の前側板５ｂの平面部上において、配線ダクト５３に沿って敷設される。ここで、配線１２は、配線ダクト５３内に挿通される配線１０と、樹脂製バンド，金属製ワイヤ，紐などの結束用部材１３によって結束される。すなわち、配線１２は、配線ダクト５３内の配線１０によって支持される。
【００４３】
本実施例によれば、前側板における配線スペースを拡大することなく、配線の増設や変更が可能になる。また、配線の増設あるいは変更により、配線ダクト５３外に位置する配線すなわち配線ダクト５３に収納されない配線の位置を容易に固定することができる。
【００４４】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。
【符号の説明】
【００４５】
１      乗りかご
２      かご床
３      横側板
４      かごドア
５，５ａ，５ｂ，５ｃ  前側板
６      操作ボタン
７      かご内操作盤
８      開口
１０    配線
１０ａ，１０ｂ  コネクタ
１１    配線
１２    配線
１３    結束用部材
５１，５２  立ち上り辺
５３    配線ダクト
５３ａ  挿通口
７１    係合ピン
７２    係合片
９１，９２  固定用プレート
９ａ    床固定孔
１０３  かご上端末装置
１０４  シーブ
１０５  転向プーリ
１０６  主ロープ
１０７  釣り合い錘
【図１】
0006313126.tif 000002
【図２】
0006313126.tif 000003
【図３】
0006313126.tif 000004
【図４】
0006313126.tif 000005
【図５】
0006313126.tif 000006
【図６】
0006313126.tif 000007